(57)【要約】【課題】  スキューの発生を防止し、さらに金型の数量を少なくすること。【解決手段】  接触部１１ａ，１３ａ側では信号コンタクト１１，１３、グランドコンタクト１７の間のピッチを同一に配列し、端子部１１ｃ，１３ｃ側では前記接触部１１ａ，１３ａに対し前記端子部１１ｃ，１３ｃの位置をずらし、前記信号コンタクト１１，１３間のコンタクトピッチＸを前記信号コンタクト１１，１３及び前記グランドコンタクト１７間のコンタクトピッチよりも広くする。前記接触部１１ａ，１３ａ側のコンタクトピッチＸ、前記端子部１１ｃ，１３ｃ側のペア内の前記信号コンタクト１１，１３間のピッチＡ、隣接するペアの前記信号コンタクト１１，１３間のピッチＢとしたとき、Ａ＋Ｂ＝３Ｘとする。【選択図】  図３
2007128706.tif 000002
【特許請求の範囲】
【請求項１】
複数のコンタクトと、複数のコンタクトを保持する絶縁性のハウジングとを備え、
前記コンタクトは、＋信号コンタクトと、−信号コンタクトと、グランドコンタクトとからなり、
前記＋信号コンタクトと前記−信号コンタクトとをペアの信号コンタクトとし、ペアの前記信号コンタクトと１本の前記グランドコンタクトとにより二等辺三角形を構成し、
前記コンタクトは、保持部と、該保持部の一側から延びている接触部と、前記保持部の他側から延びている端子部とを有し、
前記接触部側では、２列の千鳥配列、前記端子部側では３列の配列でかつ３列の中間の列に前記グランドコンタクトが配列されるようにしたコネクタにおいて、
前記接触部側では、ペアの前記信号コンタクトと前記グランドコンタクトとの間のピッチを同一に配列し、
前記端子部側では、前記コンタクトのピッチ方向において、前記接触部に対し前記端子部の位置をずらすことにより、前記＋信号コンタクト及び前記−信号コンタクト間のコンタクトピッチが前記信号コンタクト及び前記グランドコンタクト間の前記コンタクトピッチに対して広くなるように構成し、
前記接触部側の前記コンタクトのピッチをＸとし、前記端子部側のペア内の前記信号コンタクト間のピッチをＡ、隣接するペアの前記信号コンタクトとの間のピッチをＢとしたとき、Ａ＋Ｂ＝３Ｘ（ただし、Ａ＜Ｂ）の式が成り立つことを特徴とするコネクタ。
【請求項２】
請求項１記載のコネクタを搭載し前記端子部と接続する基板において、一方の列の隣接するペアの前記信号コンタクト間の配線パターン内に、他方の列のペアの前記信号コンタクトの配線パターンを配設したことを特徴とする基板。
【発明の詳細な説明】
【技術分野】
【０００１】
本発明は、接続対象物同士を接続する電気コネクタに関する。
【背景技術】
【０００２】
従来のデジタル信号の伝送形態としては、不平衡型（シングルエンド）と平衡型（ディファレンシャル型）がある。
【０００３】
不平衡型（シングルエンド）信号伝送では、デジタル信号のHighとLowとの区別をグランド線と信号線（１本）の電位差で判別する形態である。平衡型（ディファレンシャル）信号伝送では、２本の信号線（＋,−）の電位差でデジタル信号のデジタル信号のHighとLowとを区別する。後者の場合、２本の信号線の信号で信号電圧は互いに大きさが等しく、かつ位相が１８０°異なる。
【０００４】
また、ＴＭＤＳ（transition minimized differential）においては、２本の信号線と１本のグランド線とによりデータ伝送が行なわれる。
【０００５】
平衡型（ディファレンシャル）信号伝送においては、＋信号コンタクトとグランドコンタクト、−信号コンタクトとグランドコンタクトを均等にしてインピーダンスマッチングを図る必要がある。
【０００６】
平衡型（ディファレンシャル）信号伝送では、２本の信号線に生じたノイズがレシーバの入力段階でキャンセルされるので、不平衡型（シングルエンド）に比べて確実に伝送することができる。
【０００７】
従来のディファレンシャル信号伝送用のコネクタとしては、コンタクトと、コンタクトを保持するハウジングとを備えているものが知られている。
【０００８】
コンタクトは、＋信号コンタクトと、−信号コンタクトと、グランドコンタクトとからなり、コンタクトの配列は、＋信号コンタクトと−信号コンタクトとグランドコンタクトを１セットとし、グランドコンタクトに対して＋信号コンタクトと、−信号コンタクトとによって二等辺三角形を構成し、二等辺三角形の底辺が交互に千鳥状に配列されている。
【０００９】
相手コネクタと嵌合するコネクタの嵌合部では、各コンタクトの配列において、＋信号コンタクトと−信号コンタクトとを２本配列した次に、グランドコンタクトを１本配列するように構成し、端子部では＋信号コンタクトと−信号コンタクトとグランドコンタクトとがプリント基板に実装される箇所に３列のスルーホールを形成し、中間の列のスルーホールにグランドコンタクトを配列している。
【００１０】
コネクタをディファレンシャル信号伝送に使用する場合には、ペアの信号コンタクトがペア（２本）の信号線に接続され、グランドコンタクトがグランド線に接続される（例えば、特許文献１を参照）。
【００１１】
【特許文献１】特許第３５６４５５５号公報
【発明の開示】
【発明が解決しようとする課題】
【００１２】
特許文献１におけるコネクタは、プリント基板のスルーホールを全て同一のピッチとすると、スルーホール間に２本の配線パターンが困難となる。
【００１３】
また、ペア内とペア間のピッチの合計が、接触部ピッチの３倍以上になるとき、コンタクトのピッチ変換が困難となり、ペア内のコンタクト長さを同一にできないため、スキューが発生する。また、無理にピッチ変換を行なうと、ペア内の線路長が異なるためスキューが発生する。
【００１４】
それ故に、本発明の課題は、基板のスルーホール間に導電パターンを２本配線することができ、コンタクトの各ペア間の長さを同一にすることにより、スキューの発生を防止することができるコネクタを提供することにある。
【課題を解決するための手段】
【００１５】
本発明は、複数のコンタクトと、複数のコンタクトを保持する絶縁性のハウジングとを備え、前記コンタクトは、＋信号コンタクトと、−信号コンタクトと、グランドコンタクトとからなり、前記＋信号コンタクトと前記−信号コンタクトとをペアの信号コンタクトとし、ペアの前記信号コンタクトと１本の前記グランドコンタクトとにより二等辺三角形を構成し、前記コンタクトは、保持部と、該保持部の一側から延びている接触部と、前記保持部の他側から延びている端子部とを有し、前記接触部側では、２列の千鳥配列、前記端子部側では３列の配列でかつ３列の中間の列に前記グランドコンタクトが配列されるようにしたコネクタにおいて、前記接触部側では、ペアの前記信号コンタクトと前記グランドコンタクトとの間のピッチを同一に配列し、前記端子部側では、前記コンタクトのピッチ方向において、前記接触部に対し前記端子部の位置をずらすことにより、前記＋信号コンタクト及び前記−信号コンタクト間のコンタクトピッチが前記信号コンタクト及び前記グランドコンタクト間の前記コンタクトピッチに対して広くなるように構成し、前記接触部側の前記コンタクトのピッチをＸとし、前記端子部側のペア内の前記信号コンタクト間のピッチをＡ、隣接するペアの前記信号コンタクトとの間のピッチをＢとしたとき、Ａ＋Ｂ＝３Ｘ（ただし、Ａ＜Ｂ）の式が成り立つことを特徴とするコネクタであることを最も主要な特徴とする。
【発明の効果】
【００１６】
本発明のコネクタによれば、接触部に対し前記端子部の位置をずらすことにより、＋信号コンタクト及び−信号コンタクト間のコンタクトピッチが信号コンタクト及びグランドコンタクト間のコンタクトピッチに対して広くなるように構成することにより、基板のスルーホールのピッチを狭い広いと交互に配置することができるので、プリント基板のスルーホール間に導電パターンを２本配線することができ、コンタクトの各ペア（２本の信号コンタクト、１本のグランドコンタクト）間の長さを同一にすることにより、スキューの発生を防止することができる。
【発明を実施するための最良の形態】
【００１７】
本発明のコネクタは、複数のコンタクトと、複数のコンタクトを保持する絶縁性のハウジングとを備え、前記コンタクトは、＋信号コンタクトと、−信号コンタクトと、グランドコンタクトとからなり、前記＋信号コンタクトと前記−信号コンタクトとをペアの信号コンタクトとし、ペアの前記信号コンタクトと１本の前記グランドコンタクトとにより二等辺三角形を構成し、前記コンタクトは、保持部と、該保持部の一側から延びている接触部と、前記保持部の他側から延びている端子部とを有し、前記接触部側では、２列の千鳥配列、前記端子部側では３列の配列でかつ３列の中間の列に前記グランドコンタクトが配列されるようにしたコネクタにおいて、前記接触部側では、ペアの前記信号コンタクトと前記グランドコンタクトとの間のピッチを同一に配列し、前記端子部側では、前記コンタクトのピッチ方向において、前記接触部に対し前記端子部の位置をずらすことにより、前記＋信号コンタクト及び前記−信号コンタクト間のコンタクトピッチが前記信号コンタクト及び前記グランドコンタクト間の前記コンタクトピッチに対して広くなるように構成し、前記接触部側の前記コンタクトのピッチをＸとし、前記端子部側のペア内の前記信号コンタクト間のピッチをＡ、隣接するペアの前記信号コンタクトとの間のピッチをＢとしたとき、Ａ＋Ｂ＝３Ｘ（ただし、Ａ＜Ｂ）の式が成り立つことにより実現した。
【実施例１】
【００１８】
図１は、本発明に係るコネクタの実施例１を示している。図２及び図３は、図１に示したコネクタに用いるコンタクトをキャリアに接続されている状態を拡大して示している。図４乃至図７は、図１に示したコネクタの外観形状を各面で示している。
【００１９】
以下、図１乃至図７を参照して実施例１のコネクタを説明する。コネクタ１は、複数の導電性のコンタクト１１，１３，１７と、複数の導電性のコンタクト１１，１３，１７を保持している絶縁性のハウジング２１と、コンタクト１１，１３，１７を整列させるための板形状のロケータ２３と、ハウジング２１の外側を覆うように金属板によって形成されているシェル２５とを備えている。
【００２０】
コンタクト１１，１３，１７は、＋信号コンタクト１１と、−信号コンタクト１３と、グランドコンタクト１７とからなる。１本の＋信号コンタクト１１と１本の−信号コンタクト１３とは、これらでペアの信号コンタクト１１，１３とし、ペアの信号コンタクト１１，１３と１本のグランドコンタクト１７とにより二等辺三角形を構成するように配置されている。
【００２１】
＋信号コンタクト１１は、保持部１１ｂと、保持部１１ｂの一側から延びている接触部１１ａと、保持部１１ｂの他側から延びている端子部１１ｃとを有している。
【００２２】
−信号コンタクト１３は、保持部１３ｂと、保持部１３ｂの一側から延びている接触部１３ａと、保持部１３ｂの他側から延びている端子部１３ｃとを有している。
【００２３】
グランドコンタクト１７は、グランド保持部１７ｂと、グランド保持部１７ｂの一側から延びているグランド接触部１７ａと、グランド保持部１７ｂの他側から延びているグランド端子部１７ｃとを有している。
【００２４】
信号コンタクト１１，１３及びグランドコンタクト１７は、一軸線Ｇ（図２及び図３を参照）に対して平行となる方向へ延びている。さらに、信号コンタクト１１，１３及びグランドコンタクト１７は、一軸線Ｇを含む仮想平面で一軸線Ｇを直交するピッチ方向（図２及び図３を参照）Ｐ１，Ｐ２で互いに間隔をもって組み合わされた状態でハウジング２１に保持されている。
【００２５】
信号コンタクト１１，１３及びグランドコンタクト１７は、金属板をプレス打ち抜き加工を施すことにより製作することができ、ピッチ方向Ｐ１へ移動させるキャリア５１，５２に接続されている。即ち、信号コンタクト１１，１３及びグランドコンタクト１７は、端子部１１ｃ，１３ｃ及びグランド端子部１７ｃの先端がキャリア５１，５２に接続されている状態からハウジング２１に挿入された後に、図２に示したI-I線、図３に示したII-II線でキャリア５１，５２から切断される。
【００２６】
図１及び図６に示すように、コネクタ１には、一方の接続対象物としての相手コネクタ（図示せず）の相手嵌合部を嵌合する嵌合部２７が形成されている。嵌合部２７の外郭は、略筒状に形成されているシェル２５の一方側によって構成されている。嵌合部２７にはハウジング２１の板部２１ａが位置している。
【００２７】
ハウジング２１の板部２１ａには、図１に示した嵌合部２７に位置しているハウジング２１の板部２１ａの上面を上段とすると、板部２１ａの上面に図２に示した上段の接触部１１ａ，１３ａ及び上段のグランド接触部１７ａが設けられている。また、図１に示した嵌合部２７に位置しているハウジング２１の板部２１ａの下面を下段とすると、板部２１ａの下面に図３に示した下段の接触部１１ａ，１３ａ及び下段のグランド接触部１７ａが設けられている。
【００２８】
端子部１１ｃ，１３ｃ及びグランド端子部１７ｃは、保持部１１ｂ，１３ｂ及びグランド保持部１７ｂのそれぞれから直角方向に曲げられて、ロケータ２３に形成されているロケータ孔２３ａを貫通するように延びている。なお、実施例１に示したコネクタは一般にアングルタイプのコネクタと呼ばれており、コネクタ１が図１に示した接続対象物としてのプリント基板４１に実装される。
【００２９】
図１に示したように、接触部１１ａ，１３ａ側では、接触部１１ａ，１３ａ、グランド接触部１７ａが２列の千鳥配列されており、端子部１１ｃ，１３ｃ側では、端子部１１ｃ，１３ｃ、グランド端子部１７ｃが３列の配列でかつ３列の中間の列にグランド端子部１７ｃが配列されている。
【００３０】
図２に示した＋信号コンタクト１１及び−信号コンタクト１３は、一軸線Ｇに対して線対称に位置している。接触部１１ａ，１３ａ側では、＋信号コンタクト１１と−信号コンタクト１３とグランドコンタクト１７との間のピッチが同一になるように配列されている。
【００３１】
端子部１１ｃ側では、図３に示したように、下段の＋信号コンタクト１１のピッチ方向Ｐ２において、＋信号コンタクト１１の接触部１１ａ，１３ａに対して＋信号コンタクト１１の端子部１１ｃの位置を＋信号コンタクト１１の中心軸線Ｇ１から中心軸線Ｇ２へピッチ方向Ｓ分ずらしている。また、端子部１３ｃ側では、図３に示したように、下段のコンタクトのピッチ方向Ｐ１において、−信号コンタクト１３の接触部１３ａに対し−信号コンタクト１３の端子部１３ｃの位置を−信号コンタクト１１の中心軸線からずらしている。
【００３２】
端子部１１ｃ，１３ｃは、位置がずらされていることにより、＋信号コンタクト１１及び−信号コンタクト１３間のコンタクトピッチＸ（図６を参照）が信号コンタクト１１，１３及びグランドコンタクト１７間のコンタクトピッチに対して広くなるように構成されている。
【００３３】
図６及び図７に示すように、接触部１１ａ，１３ａ側の信号コンタクト１１，１３のピッチをＸとし、端子部１１ｃ，１３ｃ側のペア内の信号コンタクト１１，１３間のピッチをＡ、隣接するペアの信号コンタクト１１，１３間のピッチをＢとしたとき、Ａ＋Ｂ＝３Ｘ（ただし、Ａ＜Ｂ）となる。
【００３４】
即ち、コンタクト１１，１３，１７の配置変換については、図８に示したように、端子部１１ｃ，１３ｃと接続するプリント基板４１において、一方の列の隣接するペアの信号コンタクト１１，１３間の配線パターン４５，４６内に、他方の列のペアの信号コンタクト１１，１３の配線パターン４５，４６を配設する。
【００３５】
プリント基板４１に形成されているスルーホール４１ａにおいて、下段は＋信号コンタクト１１及び−信号コンタクト１３が内側の列へ、グランドコンタクト１７が中央の列に変換され、上段のコンタクト１１，１３，１７は、＋信号コンタクト１１及び−信号コンタクト１３１が外側の列へ、グランドコンタクト１７が中央の列に変換される。
【００３６】
また、中央列のグランドコンタクト１７のピッチはピッチ方向Ｐ１，Ｐ２において一定の間隔であり、各列の信号コンタクト１１，１３は、ペア内のピッチが狭く、ペア間のピッチが広くなるように変換される。このとき、ペア内の寸法Ａとペア間の寸法Ｂとの和は、接触部１１ａ，１３ａのピッチＸの３倍となる（Ａ+Ｂ＝３Ｘ）。
【００３７】
ペア内とペア間のピッチの合計が接触部１１ａ，１３ａのピッチの３倍となるとき、コンタクト１１，１３，１７のピッチ変換が容易となり、ペア内のコンタクト１１，１３，１７長さを同一にできることからスキューが発生しない。
【００３８】
コネクタ１を組み立てるには、始めに、下段のコンタクト１１，１３，１７の端子部１１ｃ，１３ｃ及びグランド端子部１７ｃを保持部１１ｂ，１３ｂ、グランド保持部１７ｂに対して略直角に曲げ、接触部１１ａ，１３ａ及びグランド接触部１７ａをハウジング２１に仮挿入し、キャリア５１を折り取り後、保持部１１ｂ，１３ｂ、グランド保持部１７ｂをハウジング２１に圧入する。
【００３９】
さらに、上段の信号コンタクト１１，１３の端子部１１ｃ，１３ｃ及びグランド端子部１７ｃを保持部１１ｂ，１３ｂ、グランド保持部１７ｂに対して略直角に曲げ、接触部１１ａ，１３ａ及びグランド接触部１７ａをハウジング２１に仮挿入し、キャリア５２を折り取りした後、保持部１１ｂ，１３ｂ、グランド保持部１７ｂをハウジング２１に圧入する。その後、ハウジング２１には、ロケータ２３及びシェル２５を組み込む。
【実施例２】
【００４０】
図９は、本発明に係るコネクタの実施例２を示している。図１０及び図１１は、図９に示したコネクタに用いるコンタクトをキャリアに接続されている状態を拡大して示している。図１２乃至図１５は、図９に示したコネクタの外観形状を各面で示している。
【００４１】
以下、図９乃至図１５を参照して実施例２のコネクタを説明する。コネクタ１０１は、複数の導電性コンタクト１１１，１１３，１１７と、コンタクト１１１，１１３，１１７を保持している絶縁性のハウジング１２１と、コンタクト１１１，１１３，１１７を整列させるためのロケータ１２３と、ハウジング１２１を覆うように金属板によって形成されているシェル１２５とを備えている。
【００４２】
コンタクト１１１，１１３，１１７は、＋信号コンタクト１１１と、−信号コンタクト１１３と、グランドコンタクト１１７とからなる。１本の＋信号コンタクト１１と１本の−信号コンタクト１１３とは、これらでペアの信号コンタクト１１１，１３とし、ペアの信号コンタクト１１１，１１３と１本のグランドコンタクト１１７とにより二等辺三角形を構成している。
【００４３】
＋信号コンタクト１１１は、保持部１１１ｂと、保持部１１１ｂの一側から延びている接触部１１１ａと、保持部１１１ｂの他側から延びている端子部１１１ｃとを有している。
【００４４】
−信号コンタクト１１３は、保持部１１３ｂと、保持部１１３ｂの一側から延びている接触部１１３ａと、保持部１１３ｂの他側から延びている端子部１１３ｃとを有している。
【００４５】
グランドコンタクト１１７は、グランド保持部１１７ｂと、グランド保持部１１７ｂの一側から延びているグランド接触部１１７ａと、グランド保持部１１７ｂの他側から延びているグランド端子部１１７ｃとを有している。
【００４６】
信号コンタクト１１１，１１３及びグランドコンタクト１１７は、一軸線Ｇ（図１０を参照）に対して平行となる方向へ延びている。さらに、信号コンタクト１１１，１１３及びグランドコンタクト１１７は、一軸線Ｇを含む仮想平面で一軸線Ｘを直交するピッチ方向（図１１を参照）Ｐ１，Ｐ２で互いに間隔をもって組み合わされた状態でハウジング１２１に保持されている。
【００４７】
信号コンタクト１１１，１１３は、端子部１１１ｃ，１１３ｃの先端がキャリア１５１に接続されている状態でハウジング１２１に圧入された後に、図１０に示したIII-III線で切断される。
【００４８】
グランドコンタクト１１７は、グランド端子部１１７ｃの先端がキャリア１５２に接続されている状態でハウジング１２１に圧入された後に、図１１に示したIV-IV線で切断される。
【００４９】
コネクタ１０１には、相手コネクタ（図示せず）の相手嵌合部を嵌合する嵌合部１２７が形成されている。嵌合部１２７の外郭は、略筒状に形成されているシェル１２５の一方側によって構成されている。嵌合部１２７にはハウジング１２１の板部１２１ａが位置している。
【００５０】
嵌合部１２７に位置しているハウジング１２１の板部１２１ａの一面を一方側とすると、一方側には、図１０に示した一方側の接触部１１１ａ，１１３ａ及び一方側のグランド接触部１１７ａが設けられている。また、嵌合部１２７に位置しているハウジング１２１の板部１２１ａの他面を他方側とすると、他方側には、図１１に示した他方側の接触部１１１ａ，１１３ａ及び他方側のグランド接触部１１７ａが設けられている。
【００５１】
端子部１１１ｃ，１１３ｃ及びグランド端子部１１７ｃは、保持部１１１ｂ，１１３ｂ及びグランド保持部１１７ｂから直角方向に曲げられて、ロケータ１２３に形成されているロケータ孔１２３ａを貫通するように延びている。なお、実施例２に示したコネクタは一般にストレートタイプのコネクタと呼ばれており、コネクタ１０１が図１に示したプリント基板１４１に実装される。
【００５２】
接触部１１１ａ，１１３ａ側では、接触部１１１ａ，１１３ａ、グランド接触部１１７ａが２列の千鳥配列に、端子部１１１ｃ，１１３ｃ側では端子部１１１ｃ，１１３ｃ、グランド端子部１１７ｃが３列の配列でかつ３列の中間の列にグランド端子部１１７ｃが配列されている。
【００５３】
＋信号コンタクト１１１及び−信号コンタクト１１３は、図１０に示した一軸線Ｇに対して線対称に位置している。接触部１１１ａ，１１３ａ側では、＋信号コンタクト１１１と−信号コンタクト１１３との間のピッチが同一になるように配列されている。
【００５４】
端子部１１１ｃ側では、図１０に示したように、信号コンタクト１１１，１１３のピッチ方向Ｐ２において、信号コンタクト１１１の接触部１１１ａ，１１３ａに対し＋信号コンタクト１１１の端子部１１１ｃの位置を＋信号コンタクト１１１の中心軸線Ｇ１から中心軸線Ｇ２へピッチ方向Ｓ分ずれて配置されている。端子部１１３ｃ側では、図１０に示したように、コンタクトのピッチ方向Ｐ１において、信号コンタクト１１３の接触部１１３ａに対し−信号コンタクト１１３の端子部１１３ｃの位置を−信号コンタクト１１１の中心軸線からずれて配置されている。
【００５５】
端子部１１１ｃ，１１３ｃは、図６及び図７に示したコネクタ１と同様に位置がずらされていることにより、＋信号コンタクト１１１及び−信号コンタクト１１３間のコンタクトピッチＸが信号コンタクト１１１，１１３及びグランドコンタクト１１７間のコンタクトピッチに対して広くなるように構成されている。
【００５６】
接触部１１１ａ，１１３ａ側の信号コンタクト１１１，１１３のピッチをＸとし、端子部１１１ｃ，１１３ｃ側のペア内の信号コンタクト１１１，１１３間のピッチをＡ、隣接するペアの信号コンタクト１１１，１１３間のピッチをＢとしたとき、Ａ＋Ｂ＝３Ｘ（ただし、Ａ＜Ｂ）となる。
【００５７】
即ち、コンタクト１１１，１１３，１１７の配置変換については、図８に示したように、プリント基板１４１に形成されているスルーホール１４１ａにおいて、下段は＋信号コンタクト１１１及び−信号コンタクト１１３が内側の列へ、グランドコンタクト１１７が中央の列に変換され、上段のコンタクト１１１，１１３，１１７は、＋信号コンタクト１１１及び−信号コンタクト１３１が外側の列へ、グランドコンタクト１１７が中央の列に変換される。
【００５８】
また、中央列のグランドコンタクト１１７のピッチはピッチ方向Ｐ１，Ｐ２において一定の間隔であり、各列の信号コンタクト１１１，１１３は、ペア内のピッチが狭く、ペア間のピッチが広くなるように変換される。このとき、ペア内の寸法Ａとペア間の寸法Ｂとの和は、接触部１１１ａ，１１３ａのピッチＸの３倍となる（Ａ+Ｂ＝３Ｘ）。
【００５９】
ペア内とペア間のピッチの合計が接触部１１１ａ、１１３ａのピッチの３倍となるとき、コンタクト１１１，１１３，１１７のピッチ変換が容易となり、ペア内のコンタクト１１１，１１３，１１７長さを同一にできることからスキューが発生しない。
【００６０】
コネクタ１０１を組み立てるには、始めに、一方側の信号コンタクト１１１，１１３の接触部１１１ａ、１１３ａをハウジング１２１に仮挿入し、キャリア１５１を折り取りした後、保持部１１１ｂ，１１３ｂをハウジング１２１に圧入する。
【００６１】
さらに、一方側のグランドコンタクト１１７のグランド接触部１１７ａをハウジング１２１に仮挿入し、キャリア１５２を折り取りした後、グランド保持部１１７ｂをハウジング１２１に圧入する。他方側の信号コンタクト１１１，１１３及びグランドコンタクト１１７を同様に圧入した後、ハウジング１２１には、ロケータ１２３及びシェル１２５を組み込む。
【００６２】
なお、アングルタイプのコネクタにおいては、上段のコンタクトと下段のコンタクトとをそれぞれ１つの金型だけで構成することができ、ストレートタイプのコネクタは、信号コンタクト１１１，１１３と、グランドコンタクト１１７はそれぞれ１つの金型だけで構成することができるので、コンタクトの形状及び材料取りを考慮することによってコンタクトを製作するための金型の数量を少なくすることができる。
【産業上の利用可能性】
【００６３】
本発明は、１つの情報信号をディファレンシャル信号として２本の信号線を用いて伝送する方式、いわゆるディファレンシャル信号伝送方式の信号回路の接続に用いる高周波用コネクタの用途としても適用できる。
【図面の簡単な説明】
【００６４】
【図１】本発明に係るコネクタの実施例１を示す断面図である。
【図２】図１に示したコネクタの上段に位置するコンタクトをキャリアに接続している状態で示した平面図である。
【図３】図１に示したコネクタの下段に位置するコンタクトをキャリアに接続している状態で示した平面図である。
【図４】図１に示したコネクタの平面図である。
【図５】図１に示したコネクタの側面図である。
【図６】図１に示したコネクタの右側面図である。
【図７】図１に示したコネクタの底面図である。
【図８】図１に示したコネクタを搭載する基板の平面図である。
【図９】本発明に係るコネクタの実施例２を示す断面図である。
【図１０】図９に示したコネクタの上段に位置するコンタクトをキャリアに接続している状態で示した平面図である。
【図１１】図９に示したコネクタの下段に位置するコンタクトをキャリアに接続している状態で示した平面図である。
【図１２】図９に示したコネクタの平面図である。
【図１３】図９に示したコネクタの側面図である。
【図１４】図９に示したコネクタの平面図である。
【図１５】図９に示したコネクタの底面図である。
【符号の説明】
【００６５】
１，１０１    コネクタ
１１，１１１    ＋信号コンタクト（コンタクト）
１１ａ，１１１ａ    接触部
１１ｂ，１１１ｂ    保持部
１１ｃ，１１１ｃ    端子部
１３，１１３    −信号コンタクト（コンタクト）
１７，１１７    グランドコンタクト（コンタクト）
１７ａ，１１７ａ    グランド接触部
１７ｂ，１１７ｂ    グランド保持部
１７ｃ，１１７ｃ    グランド端子部
２１，１２１    ハウジング
２３，１２３    ロケータ
２５，１２５    シェル
２７，１２７    嵌合部
４１，１４１    プリント基板
４５，４６    配線パターン
５１，５２，１５１，１５２    キャリア
Ｐ１，Ｐ２    ピッチ方向
【図１】
2007128706.tif 000003
【図２】
2007128706.tif 000004
【図３】
2007128706.tif 000005
【図４】
2007128706.tif 000006
【図５】
2007128706.tif 000007
【図６】
2007128706.tif 000008
【図７】
2007128706.tif 000009
【図８】
2007128706.tif 000010
【図９】
2007128706.tif 000011
【図１０】
2007128706.tif 000012
【図１１】
2007128706.tif 000013
【図１２】
2007128706.tif 000014
【図１３】
2007128706.tif 000015
【図１４】
2007128706.tif 000016
【図１５】
2007128706.tif 000017